(57)【要約】【課題】筐体の振動を低減して、深夜に洗濯を行なっても、近隣に気兼ねすることがないようにする。【解決手段】本実施形態のドラム式洗濯機は、外箱１と、外箱１内に設けられ水を受ける水槽１５と、水槽１５内に回転可能に設けられ洗濯物が収容されるドラム１６と、ドラム１６を回転駆動するモータ１７と、水槽１５を弾性支持する防振装置１１とを備えたものであって、外箱１の左右の側板２、３に橋架状に設けられた２個以上の補強板２３，２４と、２個以上の補強板２３、２４を連結するように設けられた連結部材２５と、補強板２３、２４または連結部材２５の上に配設された動吸振器２２とを備えたものである。【選択図】図３
2019055038.tif 000002
【特許請求の範囲】
【請求項１】
外箱と、前記外箱内に設けられ水を受ける水槽と、前記水槽内に回転可能に設けられ洗濯物が収容されるドラムと、前記ドラムを回転駆動するモータと、前記水槽を弾性支持する防振装置とを備えたドラム式洗濯機であって、
前記外箱の左右の側板に橋架状に設けられた２個以上の補強板と、
前記２個以上の補強板を連結するように設けられた連結部材と、
前記補強板または前記連結部材の上に配設された動吸振器と
を備えたドラム式洗濯機。
【請求項２】
前記動吸振器は、外から着脱可能に構成された請求項１記載のドラム式洗濯機。
【請求項３】
前記錘は、板状部材の積層体で構成され、
前記積層体は、板状部材の積層枚数を調整可能なように構成された請求項２記載のドラム式洗濯機。
【請求項４】
前記錘は、複数の着脱可能なねじ状部材で構成された請求項２記載のドラム式洗濯機。
【請求項５】
前記動吸振器は、複数の基板を弾性部材を介して２段以上に積み重ねて構成され、
上部の基板の重さが下部の基板の重さよりも軽くなるように構成された請求項１記載のドラム式洗濯機。
【請求項６】
前記動吸振器は、複数の基板を弾性部材を介して３段以上に積み重ねて構成され、
上部の弾性部材の硬度が下部の弾性部材の硬度よりも小さくなるように構成された請求項１記載のドラム式洗濯機。
【請求項７】
前記積層体の板状部材は、厚み寸法が異なるものが存在するように構成された請求項３記載のドラム式洗濯機。
【請求項８】
前記錘のねじ状部材は、径寸法が異なるものが存在するように構成された請求項４記載のドラム式洗濯機。
【請求項９】
前記積層体の板状部材は、材質が異なるものが存在するように構成された請求項３記載のドラム式洗濯機。
【請求項１０】
前記錘のねじ状部材は、材質が異なるものが存在するように構成された請求項４記載のドラム式洗濯機。
【請求項１１】
前記弾性部材は、上部の弾性部材の径寸法が下部の弾性部材の径寸法よりも小さくなるように構成された請求項６記載のドラム式洗濯機。
【発明の詳細な説明】
【技術分野】
【０００１】
本発明の実施形態は、ドラム式洗濯機に関する。
【背景技術】
【０００２】
ドラム式洗濯機を屋内に設置するケースが多くなっており、特に、マンション等において屋内に設置する場合には、近隣への配慮から、ドラム式洗濯機の脱水運転時に発生する騒音や振動をできるだけ小さくする対策が求められている。
【０００３】
従来のドラム式洗濯機の低騒音・低振動技術として、布のアンバランス力を補正する液体バランサや、サスペンション等の防振装置や、ゴム等の弾性支持部材等が知られており、これらの対策装置がドラム式洗濯機に装備されている。しかし、ドラム式洗濯機の筐体の振動については、上記対策装置は、あまり有効ではなかった。筐体の振動は、ドラム式洗濯機を設置する場所、即ち、床の強度の影響を強く受けることから、新たな振動対策が求められている。
【先行技術文献】
【特許文献】
【０００４】
【特許文献１】特開２０１２−１７９０７９公報
【発明の概要】
【発明が解決しようとする課題】
【０００５】
そこで、筐体の振動を低減することができて、深夜に洗濯を行なっても、近隣に気兼ねすることがないドラム式洗濯機を提供する。
【課題を解決するための手段】
【０００６】
本実施形態のドラム式洗濯機は、外箱と、前記外箱内に設けられ水を受ける水槽と、前記水槽内に回転可能に設けられ洗濯物が収容されるドラムと、前記ドラムを回転駆動するモータと、前記水槽を弾性支持する防振装置とを備えたものであって、前記外箱の左右の側板に橋架状に設けられた２個以上の補強板と、前記２個以上の補強板を連結するように設けられた連結部材と、前記補強板または前記連結部材の上に配設された動吸振器とを備えたものである。
【図面の簡単な説明】
【０００７】
【図１】第１実施形態による洗濯機の縦断側面図
【図２】外箱の天板を外した状態の上面図
【図３】動吸振器の斜視図
【図４】積層体の斜視図（その１）
【図５】積層体の斜視図（その２）
【図６】弾性部材の正面図
【図７】弾性部材の断面図
【図８】第４の基板の上面図
【図９】ねじを外した第４の基板の図８中のＩＸ−ＩＸ線に沿う断面図
【図１０】ねじを外した第４の基板の図８中のＸ−Ｘ線に沿う断面図
【図１１】ねじの正面図
【発明を実施するための形態】
【０００８】
以下、複数の実施形態によるドラム式洗濯機を図面に基づいて説明する。尚、各実施形態において実質的に同一の構成部品には同一の符号を付し、説明を省略する。下記の複数の実施形態において、ドラム式洗濯機の扉がある側すなわち図１の紙面に対して右側をドラム式洗濯機の「前側」とし、図１の紙面に対して手前側をドラム式洗濯機の「左側」とし、ドラム式洗濯機の外箱が設置される設置面側すなわち図１の紙面に対して下側をドラム式洗濯機の「下側」として説明する。
【０００９】
（第１実施形態）
第１実施形態のドラム式洗濯機につき、図１から図７を参照して説明する。図１に示すドラム式洗濯機は、外郭を構成する外箱１を備えている。外箱１は箱状をなし、外箱１の縦断側面は長方形状をなしている。外箱１は、例えば鋼板で形成されており、左右の側板２、３（図２参照）と、前板４と、背面板５と、天板６と、底板７とを備えている。
【００１０】
外箱１の前板４の中央には、洗濯物出入口８が形成されている。外箱１の前板４のうち洗濯物出入口８の近傍には、この洗濯物出入口８を開閉する扉９が設けられている。外箱１の背面板５には、裏蓋が着脱可能に設けられている。外箱１の天板６の前部には、図示しない操作パネルが設けられている。操作パネルには、例えば各種運転コースを選択したり運転を開始させたりするための各種スイッチが設けられている。操作パネルの裏側である外箱１内には、図示しない制御装置が設けられている。制御装置は、ドラム式洗濯機の運転全般を制御する制御手段として機能するものであり、マイクロコンピュータなどを備えている。
【００１１】
外箱１内には、水槽１５が設けられている。水槽１５は、洗濯物を洗濯するための水を受けるものであり、後端部が閉塞された有底円筒状をなし、一端部この場合前端部が開放している。水槽１５は、左右１対のサスペンション１４によって前上がりの傾斜状に弾性支持されている。よって、水槽１５の中心軸も前上がりとなっている。尚、水槽１５を、水平に弾性支持するように構成しても良い。また、図１では右側のサスペンション７のみを図示する。
【００１２】
水槽１５の後端部の外側には、後述するドラム１６を回転駆動する洗濯用モータ１７が設けられている。洗濯用モータ１７は、例えば直流のブラシレスモータからなるもので、アウターロータ形である。洗濯用モータ１７の図示しない回転軸部は、ロータ１７ａの中心部に取付けられ、軸受ハウジング１８内を通り、水槽１５の後部端板の中心部を貫通して水槽１５内に突出している。これにより、洗濯用モータ１７の回転軸部の中心軸は、水槽１５の中心軸と一致している。
【００１３】
水槽１５内には、ドラム１６が回転可能に設けられている。ドラム１６は、内部に洗濯物を収容することができる大きさの有底円筒状をなし、一端部この場合前端部が開放している。具体的には、ドラム１６は、ドラム周板１６ａと、ドラム後板１６ｂとを有している。ドラム周板１６ａは、前面および後面のそれぞれが開口する円筒状をなしている。ドラム後板１６ｂは、ドラム周板１６ａの後端部を閉鎖する円形状をなしている。これにより、ドラム１６の前端部に開口部１６ｃが形成された構成となっている。
【００１４】
ドラム後板１６ｂの中心部は、洗濯用モータ１７の回転軸部の先端部に取付けられている。これにより、ドラム１６の回転の中心軸は水槽１５の中心軸および洗濯用モータ１７の回転軸部の中心軸と一致し、ドラム１６は前上がりの傾斜状に支持された構成となっている。また、洗濯用モータ１７の駆動力が回転軸部を介してドラム１６に伝わって、ドラム１６が回転駆動される構成となっている。
【００１５】
ドラム１６の円周側の側面であるドラム周板１６ａの全域には、小孔１９が多数形成されている。また、ドラム１６のドラム周板１６ａの前端部である開口部１６ｃの近傍には、液体バランサ２０が設けられている。
【００１６】
洗濯物出入口８と水槽１５の開口部との間には、ゴム製で環状のベローズ２１が設けられている。これにより、ドラム１６の開口部１６ｃは、ベローズ２１を介して水槽１５の開口部と連なっている。そして、洗濯物出入口８は、ベローズ２１、水槽１５の開口部およびドラム１６の開口部１６ｃを介してドラム１６内に連なっている。
【００１７】
水槽１５の最低部である後端部の下部には、排水弁２２を介して排水管２３が接続されている。また、水槽１５には、ドラム１６内に除湿且つ加熱した空気を循環供給してドラム１６内の洗濯物を乾燥させる乾燥装置（図示しない）が設けられている。
【００１８】
また、本実施形態において、外箱１内における後部の上部には、即ち、水槽１５の後部の上方には、動吸振器２２が配設されている。この構成においては、図２に示すように、外箱１の左右の側板２、３の上部の前部及び後部には、２個の補強板２３、２４が橋架状に設けられている。そして、補強板２３、２４の各中央部の下に、連結部材２５が橋架状に且つ２個の補強板２３、２４を連結するように設けられている。
【００１９】
更に、図１及び図２に示すように、後部の補強板２４の中央部の上に、上記動吸振器２２が載置されており例えばねじ止め等により固定されている。尚、連結部材２５の上に、動吸振器２２を載置固定しても良いし、また、前部の補強板２３の上に、動吸振器２２を載置固定しても良い。
【００２０】
図３に示すように、動吸振器２２は、第１の基板２６と、この第１の基板２６の上に予め設定された間隔を介してほぼ平行に配置された第２の基板２７と、この第２の基板２７の上に上記設定された間隔を介してほぼ平行に配置された第３の基板２８と、この第３の基板２８の上に上記設定された間隔を介してほぼ平行に配置された第４の基板２９とを備えている。各基板２６〜２９は、例えば鉄や銅やアルミ等の金属板で構成されている。
【００２１】
また、４枚の基板２６〜２９の重量については、第１の基板２６を最も重く、第２の基板２７を中ぐらいの重さとし、第３の基板２８を軽めの重さとし、第４の基板２９を極軽の重さとしている。即ち、４枚の基板２６〜２９の重量は、下から上へ向けて軽くなるように構成されている。この場合、４枚の基板２６〜２９の厚み寸法は、同じ厚み寸法としても良いし、下から上へ向けて薄くなるように構成しても良い。また、３枚の基板２６〜２８は同じ厚み寸法とし、第４の基板２９だけ薄くするように構成しても良い。また、４枚の基板２６〜２９の大きさについては、下から上へ向けて小さくなるように構成することが好ましい。
【００２２】
さて、第１の基板２６と第２の基板２７との間には、スペーサとして例えば丸棒状の弾性部材３０が基板２６、２７の例えば四隅部に４個配設されている。第２の基板２７と第３の基板２８との間には、スペーサとして例えば丸棒状の弾性部材３１が基板２７、２８の例えば各辺部の中央部に４個配設されている。弾性部材３１の径寸法は、弾性部材３０の径寸法よりも少し小さくなるように構成されている。第３の基板２８と第４の基板２９との間には、スペーサとして例えば丸棒状の弾性部材３２が基板２８、２９の例えば四隅部に４個配設されている。弾性部材３２の径寸法は、弾性部材３１の径寸法よりも少し小さくなるように構成されている。
【００２３】
また、第３の基板２８と第４の基板２９との間の空間部には、錘３３が着脱可能に配設されている。この構成の場合、動吸振器２２は、着脱可能な錘３３を弾性支持するように構成されている。錘３３は、例えば金属板３４を複数枚積層した積層体３５で構成されている。金属板３４は、例えば鉄や銅やアルミ等の金属で構成されている。そして、積層体３５は、図４及び図５に示すように、金属板３４の積層枚数を調節可能なように構成されており、錘３３の重量を調整可能な構成となっている。この場合、積層体３５の金属板３４は、第３の基板２８上に図示しない例えばねじやバンド等によって着脱可能に固定されている。
【００２４】
また、弾性部材３０、３１、３２は、径寸法が異なるだけで、具体的構造は同じであるから、弾性部材３０の構造について、図６及び図７を参照して説明する。弾性部材３０は、両端部に設けられたねじ部材３６、３６と、ねじ部材３６、３６の間に設けられた円柱状の防振ゴム３７とを備えている。ねじ部材３６は、金属または樹脂等で形成されており、鍔部３６ａと、ねじ部３６ｂとを有する。ねじ部材３６と防振ゴム３７は、例えば接着等により一体化されている。防振ゴム３７は、例えばシリコンゴムまたはウレタンゴム等で形成されている。
【００２５】
また、弾性部材３０、３１、３２の防振ゴム３７の硬度については、下段の弾性部材３０の防振ゴム３７が最も硬く構成され、中段の弾性部材３１の防振ゴム３７が中ぐらいの硬さに構成され、上段の弾性部材３２の防振ゴム３７が最も柔らかく構成されている。即ち、弾性部材３０、３１、３２の防振ゴム３７の硬度は、下から上へ向けて柔らかくなるように構成されている。また、弾性部材３０、３１、３２の防振ゴム３７の径寸法については、下から上へ向けて小さくなるように構成されている。また、弾性部材３０、３１、３２の防振ゴム３７の上下方向の長さ寸法については、全て同じ長さになるように構成しても良いし、また、下から上へ向けて短くなるように構成しても良いし、適宜長さを調節することが好ましい。
【００２６】
さて、本実施形態において、第１の基板２６と第２の基板２７を連結するに際しては、図３に示すように、第１の基板２６の四隅部に形成された貫通孔に４個の弾性部材３０の下部のねじ部３６ｂを挿入すると共に、第２の基板２７の四隅部に形成された貫通孔に４個の弾性部材３０の上部のねじ部３６ｂを挿入する。そして、第１の基板２６から下方へ突出したねじ部３６ｂにナットを締め付け固定すると共に、第２の基板２７から上方へ突出したねじ部３６ｂにナット３８を締め付け固定する。これにより、第１の基板２６と第２の基板２７とが連結される。
【００２７】
そして、第２の基板２７と第３の基板２８を連結するに際しては、４個の弾性部材３１を用いて同様にして行うように構成されている。更に、第３の基板２８と第４の基板２９を連結するに際しては、４個の弾性部材３２を用いて同様にして行なうように構成されている。また、第４の基板２９を外した状態で、第３の基板２８の上に前記錘３３、即ち、積層体３５をねじやバンド等で取り付け固定する。そして、弾性部材３２を用いて第３の基板２８に第４の基板２９を連結する。このように構成された動吸振器２２は、補強板２４の上に例えばねじ等により取り付け固定される。
【００２８】
また、外箱１の天板６の後部における動吸振器２２に対応する部分には、動吸振器２２を出し入れするための開口部６ａが形成されている。そして、この開口部６ａの後縁部に、該開口部６ａを開閉する蓋３９がヒンジ３９ａを介して回動可能に設けられている。蓋３９は、図示しないねじにより先端部が天板６に固定されている。そして、この構成の場合、洗濯機の据え付け者や修理者が、上記ねじを取り外し、蓋３９を開放することで、開口部６ａを介して、外から動吸振器２２を、連結部材２５から取り外したり、連結部材２５に取り付けたりすることが可能な構成、即ち、着脱可能な構成となっている。また、上記開口部６ａを介して、動吸振器２２の第４の基板２９を取り外し、そして、動吸振器２２の錘３３を、第３の基板２８から取り外したり、第３の基板２８に取り付けたり、または、錘３３の積層体３５の金属板３４の枚数を増減調節したりすることが可能な構成となっている。
【００２９】
このような構成の本実施形態においては、外箱１の左右の側板２、３に２個の補強板２３、２４を橋架状に設け、２個の補強板２３、２４を連結するように連結部材２５を設け、補強板２４の上に動吸振器２２を配設するように構成したので、洗濯機１の筐体の振動を低減することができ、深夜に洗濯を行なっても、近隣に気兼ねすることがなくなる。特に、本実施形態では、２個の補強板２３、２４を連結部材２５で連結するように構成したので、洗濯機１の筐体の前部の振動と、洗濯機１の筐体の後部の振動を一体化することができ、１個の動吸振器２２によって洗濯機１の筐体の前部及び後部の振動を効果的に低減することができる。尚、連結部材２５がない構成の場合には、洗濯機１の筐体の前部の振動と後部の振動がばらばらになることから、１個の動吸振器２２では、筐体の振動を効果的に低減できないおそれがある。
【００３０】
また、上記実施形態では、動吸振器２２を、開口部６ａを介して外から着脱可能なように構成したので、洗濯機１の筐体の振動低減対策を容易に実現することができ、また、動吸振器２２の特性、即ち、共振周波数を容易に調整することができる。特に、上記実施形態によれば、洗濯機の設置環境や、使用状況に対応して、洗濯機の据え付け時に、または洗濯機の振動が大きい旨の使用者からの連絡があって、修理業者が対応する場合に、動吸振器２２を外から着脱可能な構成であるので、洗濯機の振動状況に応じて、洗濯機の据え付け後に対策することができる。
【００３１】
更に、上記実施形態では、錘３３を、板状部材である金属板３４の積層体３５で構成し、積層体３５の金属板３４の積層枚数を調整可能なように構成したので、動吸振器２２の共振周波数をより一層容易に調整することができる。
【００３２】
また、上記実施形態では、動吸振器２２は、複数の基板２６〜２９を弾性部材３０、３１、３２を介して２段以上に積み重ねて構成し、上部の基板の重さが下部の基板の重さよりも軽くなるように構成した。この場合、動吸振器２２を２段以上に積み重ねて構成すると、一般的に上部の方が下部よりも揺れ易くなるから、上部の基板の重さを下部の基板の重さよりも軽くするように構成することで、洗濯機１の筐体の振動を効率良く低減することができる。
【００３３】
また、上記実施形態では、動吸振器２２は、複数の基板２６〜２９を弾性部材３０、３１、３２を介して３段以上に積み重ねて構成し、上部の弾性部材の硬度が下部の弾性部材の硬度よりも小さくなるように構成した。この場合、動吸振器２２を３段以上に積み重ねて構成すると、一般的に上部の方が下部よりも揺れ易くなるから、上部の弾性部材の硬度が下部の弾性部材の硬度よりも小さくなるように構成することで、洗濯機１の筐体の振動を効率良く低減することができる。更に、上記実施形態では、基板２６〜２９間のスペーサとなる弾性部材３０、３１、３２を、それぞれ４個設けるように構成したので、動吸振器２２の構造体としての安定性を向上させることができる。
【００３４】
また、上記実施形態において、積層体３５の金属板３４として、厚み寸法が異なるものが存在するように構成しても良い。このように構成すると、積層体３５、即ち、錘３３の重量を細かく調整可能となるから、動吸振器２２の共振周波数をより一層微調整することができる。
【００３５】
また、上記実施形態において、積層体３５の金属板３４として、材質が異なるものが存在するように構成しても良い。このように構成すると、積層体３５、即ち、錘３３の重量を細かく調整可能となるから、動吸振器２２の共振周波数をより一層微調整することができる。
【００３６】
また、上記実施形態では、弾性部材３０、３１、３２は、上部の弾性部材の径寸法が下部の弾性部材の径寸法よりも小さくなるように構成したので、動吸振器２２の共振周波数をより一層微調整することができる。
【００３７】
（第２実施形態）
図８ないし図１１は、第２実施形態を示すものである。尚、第１実施形態と同一構成には同一符号を付している。この第２実施形態では、錘３３として、金属板３４の積層体３５に代えて、複数のねじを用いるように構成した。
【００３８】
具体的には、図８ないし図１０に示すように、第４の基板２９に複数個例えば９個のねじ孔４０を形成している。そして、これらねじ孔４０に、図１１にも示すねじ４１をねじ締め固定することが可能なように構成されている。この場合、ねじ４１の径寸法としては、即ち、ねじ孔４０の径寸法としては、複数の大きさのもの、例えば、最大のものが１個、中ぐらいのものが６個、最小のものが６個程度、用意されている。
【００３９】
上述した以外の第２実施形態の構成は、第１実施形態の構成と同じ構成となっている。従って、第２実施形態においても、第１実施形態とほぼ同じ作用効果を得ることができる。特に、第２実施形態によれば、錘３３として、複数のねじ４１を用いるように構成したので、ねじ４１の取り付け及び取り外しを容易に行なうことができる。従って、錘３３の重量の増減調整、即ち、動吸振器２２の特性調整を容易に行なうことができる。
【００４０】
（その他の実施形態）
以上説明した複数の実施形態に加えて以下のような構成を加えても良い。
上記各実施形態では、複数の基板２６〜２９を弾性部材３０、３１、３２を介して３段に積み重ねて構成したが、これに限られるものではなく、２段に構成しても良いし、４段以上に構成しても良い。
【００４１】
また、第２実施形態では、ねじ４１及びねじ孔４０を、第４の基板２９に１３個形成したが、これに限られるものではなく、ねじ４１及びねじ孔４０を、第４の基板２９に１２個以下または１４個以上形成するように構成しても良い。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
図面中、１は外箱、２、３は側板、６は天板、８は洗濯物出入口、９は扉、１１は制御装置、１４はサスペンション、１５は水槽、１６はドラム、１７は洗濯用モータ、２２は動吸振器、２３、２４は補強板、２５は連結部材、２６は第１の基板、２７は第２の基板、２８は第３の基板、２９は第４の基板、３０は弾性部材、３１は弾性部材、３２は弾性部材、３３は錘、３４は金属板（板状部材）、３５は積層体、３６はねじ部材、３７は防振ゴム、３８はナット、３９は蓋、４０はねじ孔、４１はねじである。
【図１】
2019055038.tif 000003
【図２】
2019055038.tif 000004
【図３】
2019055038.tif 000005
【図４】
2019055038.tif 000006
【図５】
2019055038.tif 000007
【図６】
2019055038.tif 000008
【図７】
2019055038.tif 000009
【図８】
2019055038.tif 000010
【図９】
2019055038.tif 000011
【図１０】
2019055038.tif 000012
【図１１】
2019055038.tif 000013